(57)【特許請求の範囲】
【請求項１】
下面を開放した函体と、上記函体に連結手段を介して着脱自在に連結せしめた剛性と重量を有する貫入用重量物と、上記函体を軟弱地盤内に負圧により沈設せしめる手段とより成り、上記貫入用重量物を上記函体と共に沈降せしめることにより上記函体の変形を防止し、沈設後に上記函体から取りはずすことを特徴とする軟弱地盤改良装置。
【請求項２】
上記連結手段が、上記函体と上記貫入用重量物に夫々設けたアイプレートと、この両アイプレートに形成した貫通孔と、上記両アイプレートを互いに連結するため上記貫通孔に挿脱される連結ピンと、上記貫入用重量物にその基部を回動自在に枢支した上側杆と下側杆とを有するL型レバーとより成り、上記L型レバーの下側杆が上記連結ピンに連結され、上記上側杆を操作することにより上記連結ピンが上記アイプレートの貫通孔に挿脱されることを特徴とする請求項１記載の軟弱地盤改良装置。
【請求項３】
上記連結手段が複数であり、その各L型レバーが互いに共通の連結ロッドによって互いに連結され、上記L型レバーの任意のものの上側杆を操作することによって他のものが同時に操作されることを特徴とする請求項２記載の軟弱地盤改良装置。
【発明の詳細な説明】
【０００１】
【発明の属する技術分野】
本発明は軟弱地盤改良装置、特に、下面を開放した函体を沈設して用いる軟弱地盤改良装置に関するものである。
【０００２】
【従来の技術】
従来、この種装置としては例えば特開平6−264432号公報のものがある。
【０００３】
このような従来の軟弱地盤改良装置は図５に示すように、下面を開放した有天型の函体１と、この函体１の内上部に設置されるバラスト室２と、函体１内中間部に配設されるドレーン材３と、函体１内の水を外部に排出する排出パイプ４とにより構成される。
【０００４】
また、５は水底、６はこの水底５内の改良すべき軟弱地盤部分に打設したバーチカルドレーン、７は台船、８は真空ポンプ、９は注排水機構を示し、改良予定の水底５にバーチカルドレーン６を打設し、バラスト室２に注水して上記函体１を沈降させ、該函体１が水底５に着底した後、函体１内部のドレーン材３下方の水を外部に排出し、負圧を利用して函体１を水底５内に圧入して、水底５の軟弱地盤内のバーチカルドレーン６と函体１内のドレーン材３と、上記排出パイプ４を介して、軟弱地盤内の水分を排出し改良せしめている。
【０００５】
【発明が解決しようとする課題】
然しながら、このような従来の装置では、函体１の沈設時に外圧によって函体１が変形する恐れがある。従って、この変形を防ぐため函体１自体の剛性を高める必要があり、そのため函体規模が大きくなり、函体自重の増加による施工性の低下及び函体製作コストが高くなる等の問題があった。
【０００６】
本発明は上記の問題を解決しようとするものである。
【０００７】
【課題を解決するための手段】
本発明の軟弱地盤改良装置は、下面を開放した函体と、上記函体に連結手段を介して着脱自在に連結せしめた剛性と重量を有する貫入用重量物と、上記函体を軟弱地盤内に負圧により沈設せしめる手段とより成り、上記貫入用重量物を上記函体と共に沈降せしめることにより上記函体の変形を防止し、沈設後に上記函体から取りはずすことを特徴とする。
【０００８】
上記連結手段は、上記函体と上記貫入用重量物に夫々設けたアイプレートと、この両アイプレートに形成した貫通孔と、上記両アイプレートを互いに連結するため上記貫通孔に挿脱される連結ピンと、上記貫入用重量物にその基部を回動自在に枢支した上側杆と下側杆とを有するL型レバーとより成り、上記L型レバーの下側杆が上記連結ピンに連結され、上記上側杆を操作することにより上記連結ピンが上記アイプレートの貫通孔に挿脱されることを特徴とする。
【０００９】
上記連結手段は、複数であり、その各L型レバーが互いに共通の連結ロッドによって互いに連結され、上記L型レバーの任意のものの上側杆操作することによって他のものが同時に操作されることを特徴とする。
【００１０】
【発明の実施の形態】
以下図面によって本発明の実施例を説明する。
【００１１】
本発明においては、図１〜図３に示すように、例えば縦，横20m、高さ5mの函体1の上面に、例えば高さ12cmのチャンネル鋼より成るリブ１０を例えば1m間隔で縦，横に格子状交叉して配置固定し、この各リブ１０の交叉部に夫々板状の函体側アイプレート１１を垂設する。また、吊枠兼用の貫入用重量物１２を用い、上記各アイプレート１１に対応して上記貫入用重量物１２の下面に重量物側アイプレート１３を垂設し、この重量物側アイプレート１３を上記函体側アイプレート１１に連結手段１４を介して着脱自在に連結せしめる。
【００１２】
上記貫入用重量物１２は、上記縦方向のリブ１０に対応して縦方向に延び、かつ上記縦方向のリブ１０の横方向間隔に対応して互いに横方向に互いに離間して配置した例えば高さ70cmのＩ型鋼より成る縦材１５と、これら各縦材１５を互いに一体に連結するためこの各縦材１５の下側フランジに固定せしめた、上記横方向のリブ１０に対応して横方向に延びる例えば幅10cmのL型鋼より成る横連結杆１６と、上記各縦材１５の上面側フランジに固定せしめた、横方向に延びる例えば幅10cmのL型鋼より成る横連結杆１７と、上記縦材１５上に横方向及び縦方向に互いに離間して載置した、例えば縦3m，横90cm，厚さ25mmの鋼板を10枚重ねて成る複数のウエイト１８とにより構成する。
【００１３】
また、上記連結手段１４は、上記函体側アイプレート１１と重量物側アイプレート１３に夫々設けた貫通孔１９と、この貫通孔１９に挿脱せしめる連結ピン２０と、上記各アイプレート１１，１３の位置に対応して夫々上記貫入用重量物１２上に垂設したリングプレート２１と、このリングプレート２１にその基部を回動自在に枢支したL型レバー２２と、上記貫入用重量物１２のウエイト１８相互間の例えば8cmの間隙２３を通して垂下せしめた上記L型レバー２２の下側杆２２aと、上記L型レバー２２の上側杆２２bと、上記下側杆２２aの遊端と上記ピン２０とを連結する枢支ピン２２cとにより構成せしめる。
【００１４】
本発明の軟弱地盤改良装置は、上記のような構成であるから函体１の上部にはリブ１０が設けられ剛性が大きくなると共に、貫入用重量物１２の重量が載荷されるため函体１の沈設が助成されると共に、函体１に外圧が作用することによる変形が上記リブ１０に連結された上記貫入用重量物１１の剛性によっても防がれるようになる。
【００１５】
なお、本発明の軟弱地盤改良装置においては、函体１の貫入完了後上記各L型レバー２２を操作して連結ピン２０を夫々対応するアイピース１１，１３の孔１９から離脱せしめて、上記貫入用重量物１２をクレーン等により吊り上げれば、上記間隙２３を介して上記連結ピン２０も引き上げられ、これらを他の地域における軟弱地盤改良装置のために使用できるようになる。
【００１６】
なお、本発明の他の実施例においては、図４に示すように、上記各L型レバー２２の上側杆２２bの遊端を共通の連結ロッド２４に夫々枢支ピン２５を介して回動自在に枢支し、上記L型レバー２２の任意のものの上記上側杆２２bの遊端を延長せしめ、この延長部分を操作ハンドル２６として操作できるようにする。
【００１７】
このようにすれば、上記操作ハンドル２６を操作するのみで総べてのL型レバー２２を同時に操作し、連結ピン２０の挿脱を一度に行なうことができるようになる。
【００１８】
なお、上記各L型レバー２２または操作ハンドル２６の遊端と上記貫入用重量物１２の上面間にこれを互いに連結する手段２７を設ければ、上記連結ピン２０の抜け止め防止を図ることができる。
【００１９】
【発明の効果】
上記のように本発明の軟弱地盤改良装置によれば、函体の沈設時、函体に貫入用構造物を付加するようにしたので函体規模を大きくすることなく沈設時の外圧による函体の変形を防ぐことができるようになる。
【００２０】
また、函体の変形防止に用いた貫入用構造物を函体１から着脱自在とし、他の区域における函体の沈設に用い得るようにしたのでその経済性を向上できる等大きな利益がある。
【図面の簡単な説明】
【図１】本発明の軟弱地盤改良装置の斜視図である。
【図２】図１に示す軟弱地盤改良装置の要部の正面図である。
【図３】図２に示す軟弱地盤改良装置の側面図である。
【図４】本発明の軟弱地盤改良装置の他の実施例の説明図である。
【図５】従来の軟弱地盤改良装置の説明図である。
【符号の説明】
１   函体
２   バラスト室
３   ドレーン材
４   排出パイプ
５   水底
６   バーチカルドレーン
７   台船
８    真空ポンプ
９  注排水機構
１０  リブ
１１  函体側アイプレート
１２  貫入用重量物
１３  重量物側アイプレート
１４  連結手段
１５  縦材
１６  横連結杆
１７   横連結杆
１８   ウエイト
１９   貫通孔
２０   連結ピン
２１   リングプレート
２２   L型レバー
２２a  下側杆
２２b  上側杆
２２c  枢支ピン
２３   間隙
２４   連結ロッド
２５   枢支ピン
２６   操作ハンドル
２７   手段
【図１】
0004162182.tif 000002
【図２】
0004162182.tif 000003
【図３】
0004162182.tif 000004
【図４】
0004162182.tif 000005
【図５】
0004162182.tif 000006